(57)【特許請求の範囲】
【請求項１】
上面に活字を形成した複数の活字ブロックの間を上下移動が可能なように連結した複数の日付印字用の活字ユニットと、
複数の前記活字ユニットがそれぞれ挿入される複数の溝を同心円状に形成した活字ケースと、
前記活字ケースの所定位置に固定され、日付を設定するために前記活字ブロックを位置決めするとともに他の活字ブロックより高い位置にする活字台とを備えたことを特徴とする活字装置。
【請求項２】
前記活字ブロックに貫通孔を形成し、スペーサを介して前記貫通孔にひもを通すことにより複数の活字ブロックを緩く連結したことを特徴とする請求項１記載の活字装置。
【請求項３】
複数の前記活字ブロックと、前記活字ブロック間の連結部とを一体に形成し、かつ全体を前記溝に対応する円弧状に形成したことを特徴とする請求項１記載の活字装置。
【請求項４】
前記活字ブロックを環状に連結することを特徴とする請求項２記載の活字装置。
【請求項５】
前記活字ブロックを環状に連結することを特徴とする請求項３記載の活字装置。
【請求項６】
前記活字ブロックを連結した両端が終端していることを特徴とする請求項２記載の活字装置。
【請求項７】
前記活字ブロックを連結した両端が終端していることを特徴とする請求項３記載の活字装置。
【請求項８】
前記活字ケースの溝を円弧状に形成し、その両端が溝無し領域につながっていることを特徴とする請求項１乃至７のいずれかに記載の活字装置。
【請求項９】
上面に活字を形成した複数の活字ブロックの間を上下移動が可能なように連結した複数の日付印字用の活字ユニットと、複数の前記活字ユニットがそれぞれ挿入される複数の溝を同心円状に形成した活字ケースと、前記活字ケースの所定位置に固定され、日付を設定
するために前記活字ブロックを位置決めするとともに他の活字ブロックより高い位置にする活字台とを備えた活字装置と、
前記活字装置の上に配置された印字リボンと、
前記印字リボンの上に配置され、印字位置に設定された活字が突出するための窓を設けたリボンプロテクタとを備えたことを特徴とする印字装置。
【請求項１０】
前記リボンプロテクタを印字方向と反対の方向に付勢する弾性体を備えたことを特徴とする請求項９記載の印字装置。
【請求項１１】
前記弾性体により前記リボンプロテクタを印字方向と反対の方向に持ち上げた状態でロックし、印字時にロックを外すようにした機構を備えたことを特徴とする請求項１０記載の印字装置。
【請求項１２】
印字ハンマ手段を設けたアッパケースと、
前記アッパケースを開閉自在に接続したロアケースと、
ケースの内部に形成した名刺収納部と、
上面に活字を形成した複数の活字ブロックの間を上下移動が可能なように連結した複数の日付印字用の活字ユニットと、複数の前記活字ユニットがそれぞれ挿入される複数の溝を同心円状に形成した活字ケースと、前記活字ケースの所定位置に固定され、日付を設定するために前記活字ブロックを位置決めするとともに他の活字ブロックより高い位置にする活字台とを備えた活字装置と、前記活字装置の上に配置された印字リボンと、前記印字リボンの上に配置され、印字位置に設定された活字が突出するための窓を設けたリボンプロテクタとを備えた印字装置であって、前記名刺収納部に格納した名刺に日付を印字するための印字装置とを備え、
前記印字ハンマ手段を押圧することにより印字リボンを介して名刺を活字に押し付けて日付を印字することを特徴とする印字機能付き名刺入れ。
【請求項１３】
前記印字ハンマ手段が、前記アッパケースに固着された押さえゴムと、前記押さえゴムに固着された押さえブロックとからなることを特徴とする請求項１２記載の印字機能付き名刺入れ。
【請求項１４】
前記名刺収納部が、前記アッパケースに固着されたコ字状の名刺ブロックと、前記名刺ブロックをカバーする名刺プレートで構成されたことを特徴とする請求項１２又は１３記載の印字機能付き名刺入れ。
【発明の詳細な説明】
【技術分野】
【０００１】
本発明は、名刺入れ内の名刺に日付を印字するのに適する活字装置、印字装置及びそれらを使用した印字機能付き名刺入れに関するものである。
【背景技術】
【０００２】
名刺は、ビジネスや社交等の場において、簡単な自己紹介を兼ねてよく使用される。しかし、交換した名刺には日付が記入されていないため、後になっていつ会ったか思い出せない場合もある。
そこで、名刺に日付と場所などを記入する人もいるが、もし、日付を印字した名刺を手渡すことができれば、受け取った人は日付の記入も必要がなく、便利だと考えられる。【０００３】
しかしながら、従来の名刺入れは、名刺を格納するだけで、印字機能を有しているものは存在しない。
一方、プリンタとしては、名刺を印刷するものは多数あるが、印刷された名刺に日付を印字させるものとして、サーマルヘッドとプラテンとの間と、ドライブローラと押圧ローラとの間に名刺を挟持させ、その状態から名刺を引き抜くことにより制御信号を発生させて、当日もしくは特定の日付を印字するものがある（特許文献１参照）。
【特許文献１】特開平９−５８０９５号公報
【発明の開示】
【発明が解決しようとする課題】
【０００４】
しかしながら、従来のプリンタは、自宅又はオフィス等において、当日又は過去に受け取った名刺に日付を印字するものであり、常時携帯するものではない。
装置としては、電子制御をして電力によりサーマルヘッドを駆動させて印字するので、サーマルヘッド、電池、ＣＰＵ、メモリ、ディスプレイ、各種スイッチ等を必要とし、大きくて重量のあるものとなる。そのため、名刺入れ内に収容して携帯することは不可能である。
解決しようとする課題は、印字機能付き名刺入れに適用される活字装置及び印字装置を提供するとともに印字機能付き名刺入れを実現し、名刺入れ内の名刺に日付を印字できるようにすることである。
【課題を解決するための手段】
【０００５】
本発明は、上面に活字を形成した複数の活字ブロックの間を上下移動が可能なように連結した複数の日付印字用の活字ユニットと、複数の活字ユニットがそれぞれ挿入される複数の溝を同心円状に形成した活字ケースと、活字ケースの所定位置に固定され、日付を設定するために活字ブロックを位置決めする活字台とを備えた活字装置を使用することにより、薄型の印字機能付き名刺入れを実現して、名刺入れ内の名刺に日付を印字できるようにしたものである。【０００６】
また、本発明は、上面に活字を形成した複数の活字ブロックの間を上下移動が可能なように連結した複数の日付印字用の活字ユニットと、複数の活字ユニットがそれぞれ挿入される複数の溝を同心円状に形成した活字ケースと、活字ケースの所定位置に固定され、日付を設定するために活字ブロックを位置決めする活字台とを備えた活字装置と、活字装置の上に配置された印字リボンと、印字リボンの上に配置され、印字位置に設定された活字が突出するための窓を設けたリボンプロテクタとを備えた印字装置を使用することにより、薄型の印字機能付き名刺入れを実現して、名刺入れ内の名刺に日付を印字できるようにしたものである。【０００７】
また、本発明は、印字ハンマ手段を設けたアッパケースと、アッパケースを開閉自在に接続したロアケースと、ケースの内部に形成した名刺収納部と、上面に活字を形成した複数の活字ブロックの間を上下移動が可能なように連結した複数の日付印字用の活字ユニットと、複数の活字ユニットがそれぞれ挿入される複数の溝を同心円状に形成した活字ケースと、活字ケースの所定位置に固定され、日付を設定するために活字ブロックを位置決めする活字台とを備えた活字装置と、活字装置の上に配置された印字リボンと、印字リボンの上に配置され、印字位置に設定された活字が突出するための窓を設けたリボンプロテクタとを備えた印字装置であって、名刺収納部に格納した名刺に日付を印字するための印字装置とを備え、印字ハンマ手段を押圧することにより印字リボンを介して名刺を活字に押し付けて日付を印字する印字機能付き名刺入れを実現して、名刺入れ内の名刺に日付を印字できるようにしたものである。
【発明の効果】
【０００８】
本発明は、名刺入れに印字ハンマ手段と、活字装置を有する印字装置と、名刺収納部とを備えたので、印字ハンマ手段を押圧することにより名刺入れ内の名刺に日付を印字することができる。
そのため、予め活字を当日の日付にしておけば、名刺交換をする際に、その場で日付を印字し、日付つきの名刺を相手に手渡すことができる。
更に、本発明は、電力や電子制御を全く必要としないので、軽くて低価格の印字機能付き名刺入れを実現することができる。
また、活字を同心円状に配列して薄型の活字装置を構成したので、薄型の印字機能付き名刺入れを実現することができる。
【図面の簡単な説明】
【０００９】
【図１】本発明の名刺入れの実施例１を示す斜視図である。
【図２】名刺入れの実施例１を示す図である。
【図３】活字ケースを示す図である。
【図４】活字ユニットの例を示す図である。
【図５】活字ユニットの他の例を示す図である。
【図６】活字台を示す図である。
【図７】活字台に活字ブロックを嵌入した状態を示す図である。
【図８】活字台に他の活字ブロックを嵌入した状態を示す図である。
【図９】活字装置の平面図である。
【図１０】リボンフレームを示す図である。
【図１１】印字リボンを示す図である。
【図１２】プロテクタフレームを示す図である。
【図１３】リボンプロテクタの平面図である。
【図１４】印字部の拡大断面図である。
【図１５】本発明の名刺入れの実施例２を示す図である。
【図１６】プロテクタフレームを示す図である。
【図１７】レバー開の状態を示す図である。
【図１８】レバー閉の状態を示す図である。
【符号の説明】
【００１０】
１  アッパケース
２  ロアケース
３  名刺格納部
４  活字ケース
５  印字リボン
６  リボンプロテクタ
７  プロテクタフレーム
８  活字ユニット
９  活字台
１１  穴
１２  押さえゴム
１３  押さえブロック
３１  名刺ブロック
３２  名刺プレート
３３  ねじ
３４  名刺
４１  溝
４２  壁
４３  溝無し領域
５１  リボンフレーム
５２  接着部
５３  切り込み
６１  窓
７１  シャフト
７２  スプリング
７３  穴
７４  側板
７５  回転穴
８１  活字
８２  活字ブロック
８３  スペーサ
８４  ひも
８５  貫通孔
８６  ストッパ
９１  スロープ
９２  凹部
２００  ロアケース
２０１  角穴
２０２  爪
２０３  レバー
２０４  ストッパ
２０５  穴
２０６  スプリング
２０７  支持体
７００  プロテクタフレーム
７０１  シャフト
７０２  スプリング
７０３  穴
７０４  側板
７０５  回転穴
７０６  支持体
７０７  突起
７０８  突起
８００  活字ユニット
８０１  活字
８０２  活字ブロック
８０３  連結部
【発明を実施するための最良の形態】
【００１１】
本発明は、印字ハンマ手段を設けたアッパケースと、アッパケースを開閉自在に接続したロアケースと、ケースの内部に形成した名刺収納部と、上面に活字を形成した複数の活字ブロックの間を上下移動が可能なように連結した複数の日付印字用の活字ユニットと、複数の前記活字ユニットがそれぞれ挿入される複数の溝を同心円状に形成した活字ケースと、活字ケースの所定位置に固定され、日付を設定するために活字ブロックを位置決めする活字台とを有する活字装置と、活字装置の上に配置された印字リボンと、印字リボンの上に配置され、印字位置に設定された活字が突出するための窓を設けたリボンプロテクタとを有する印字装置とを備えて、印字ハンマ手段を押圧することにより印字リボンを介して名刺入れ内の名刺を活字に押し付けて日付を印字するようにした印字機能付き名刺入れを実現した。
【実施例１】
【００１２】
図１は本発明の印字機能付き名刺入れの実施例１を示す側面図で、アッパケースを開いた状態を示している。
名刺入れは、箱型のアッパケース１とロアケース２とケースの内部に形成された名刺収納部３とで構成され、アッパケース１はロアケース２１に蝶番等で開閉自在に接続されている。
アッパケース１には、穴１１が明けられ、穴１１に対応するように、印字ハンマ手段となる押さえゴム１２と、押さえゴム１２に接着剤等で固着された押さえゴム１２より幅の狭い押さえブロック１３が設けられている。押さえゴム１２はゴム材や弾力性のある合成樹脂材で形成され、押さえブロック１３は合成樹脂板等で形成される。【００１３】
また、アッパケース１には、コ字状の名刺ブロック３１と名刺プレート３２をねじ３３等で固定して、名刺収納部３を形成している。名刺ブロック３１は合成樹脂等で形成され、厚さは名刺３４の１０枚分程度であり、コ字状部分の幅は名刺３４の短辺の長さに対応している。
名刺プレート３２は合成樹脂板等で形成され、名刺３４の出し入れを容易にするために内側が少し開いている。【００１４】
ロアケース２には、後述する活字ユニットが装着された活字ケース４がねじ等により固着され、その上に印字リボン５、更にその上に開閉可能なリボンプロテクタ６が配置されている。
リボンプロテクタ６は金属板で構成され、プロテクタフレーム７に接着剤等により固着されており、印字位置に設定された活字が印字リボン５と共に突出する窓６１が設けられ、窓６１は印字ハンマ手段の押さえブロック１３と対応している。
窓６１及び押さえブロック１３が傾いているのは、名刺３４の表面に印字した場合に、氏名の印刷部分と重ならないようにするためであり、印刷のない裏面等に印字する時はこのような配慮をする必要はなく、名刺３４の長辺又は短辺と平行にしても良い。【００１５】
印字をする時は、名刺３４を１０枚程格納したアッパケース１を閉めて、押さえゴム１２を指等で押圧すると、押さえブロック１３が印字方向、即ち下方向に移動して、名刺収納部３に格納された名刺３４全体を押し、リボンプロテクタ６の窓６１から突出している日付用活字に、印字リボン５を介して名刺３４を押し付けて日付を印字する。
印字が終了して指等を離せば、押さえゴム１２の復元力により押さえブロック１３は印字方向と反対側、即ち上方に移動して元の位置に復する。【００１６】
上記したアッパケース１及びロアケース２は、金属板例えばアルミニウム板を加工しても、また合成樹脂で形成しても良い。
更に皮、軟質合成樹脂、布等でも良く、また箱型に限定することなく、名刺や印字装置が収納できるように構成されていれば良い。【００１７】
図２は本発明の名刺入れの実施例１を示す図で、（ａ）は平面図、（ｂ）はＡ−Ａ断面図、（ｃ）は側板を外した側面図である。
リボンプロテクタ６を固着したリボンプロテクタフレーム７はシャフト７１に回転可能に支持され、日付を設定する場合や、印字リボン５の位置を変更する場合に、アッパケース１を開いた状態の時に、回転して開くことができるように構成されている。また、プロテクタフレーム７の反対側の位置には弾性体であるスプリング７２が設けられ、プロテクタフレーム７即ちリボンプロテクタ６を上方に付勢している。【００１８】
印字ハンマ手段を形成する押さえブロック１３を押さえゴム１２の下側に固着し、穴１１内に収容しているが、押さえブロック１３を押さえゴム１２の上側に固着しても良い。その場合、指等で押す位置が分かって良いこともあるが、押さえブロック１３の厚みだけ名刺入れが厚くなる。
押さえゴム１２を押圧すれば、押さえブロック１３が名刺３４を押し、印字リボン５を介して活字ケース４内の活字に名刺３４を押し付けて印字動作が行われる。【００１９】
図３は活字ケースを示す平面図で、（ａ）は平面図、（ｂ）はＢ−Ｂ断面図である。
活字ケース４は活字ユニットを装着するもので、金属又は合成樹脂で構成され、同心円状に複数の溝４１が形成されている。溝４１は同心円状に形成された円弧状の壁４２を作ることにより構成される。図では溝４１を形成しない溝無し領域４３を形成し、複数の溝４１の両端はそれぞれ溝無し領域４３につながっているが、溝無し領域４３を作ることなく溝４１を環状に形成しても良い。
また、活字ケース４を、溝４１ごとに独立したリングにし、それらのリングを同心円状に配列させて活字ケースを形成しても良い。
なお、中央にはねじ止め用の穴４４を明けてあるが、ロアケースに接着する場合は不要である。【００２０】
図４は活字ユニットの例を示す図で、（ａ）は平面図、（ｂ）は断面図である。
活字ユニット８は、上面に活字８１を形成した複数の活字ブロック８２と、活字ブロック８２間の連結部となる複数のスペーサ８３と、それらを連結するひも８４とで構成される。
活字ブロック８２は合成樹脂やゴム等で形成され、上面に日付印字用の活字８１を形成し、本体の中央部にひも８４が挿入される貫通孔８５を設けている。
活字８１を合成樹脂やゴム等で形成して本体に接着しても、また活字８１と本体を一体に形成して活字ブロック８２を形成しても良い。
スペーサ８３は中央に貫通孔を明けたもので、合成樹脂等で形成され、その長さは種々のものが用意される。
ひも８４はひものようなものであれば良く、丈夫な凧糸や釣糸等が使用される。【００２１】
活字ユニット８は複数の活字ブロック８２とスペーサ８３を交互に設け、ひも８４で連結したもので、活字ブロック８２のわずかな上下移動が可能なように、複数の活字ブロック８２の間をひも８４で緩く連結している。
連結した活字ユニット８の両端は図では終端とし、ひも８４をストッパ８６で止めているが、エンドレスにして活字ユニット８を環状に形成しても良い。【００２２】
図５は活字ユニットの他の例を示す図で、（ａ）は月表示用及び日表示用の活字ユニットの平面図、（ｂ）は断面図である。
活字ユニット８００は、上面に活字８０１を形成した複数の活字ブロック８０２と、その活字ブロック８０２の間をつなぐ連結部８０３とを柔軟な材質の部材例えば合成樹脂やゴムで一体に形成し、かつ図３に示した活字ケース４の溝４１に対応する円弧状に形成している。【００２３】
活字ユニット８００の両端は、終端にしても、また（ａ）の一番右に示した月印字用の活字ユニット８００のように環状に形成しても良い。月表示用の活字を英語表示にしても良いことは勿論である。
活字ユニット８００は、活字ブロック８０２がわずかに上下移動できるように、連結部８０３を活字ブロック８０２より薄く形成して、図４に示した活字ブロックを緩く連結した活字ユニット８と同等の機能を持たせている。
なお、活字ユニット８００は、活字ブロック８０２を硬質の合成樹脂や金属で形成し、連結部８０３を活字ブロック８０２より薄くした合成樹脂板や金属板で形成して一体に構成しても良い。【００２４】
図６は活字台を示す図で、（ａ）は平面図、（ｂ）は正面図である。
活字台９は図３に示した活字ケース４の所定位置、例えば溝４１の所定位置に嵌め込まれて接着剤等で固定され、日付を設定するために活字ブロックを位置決めするためのものである。従って、活字台９は活字ユニットの数だけ用意され、日付の印字位置に一列に並べて溝４１内に固定される。【００２５】
活字台９は例えば合成樹脂で形成され、両側にスロープ９１が設けられ、中央部に活字ブロックが嵌め込まれる凹部９２が形成されている。
凹部９２の長手方向の長さは活字ブロックの長手方向が密着して嵌入する大きさを有し、幅は活字ブロックの短手方向が密着して嵌入する大きさである。
また、一列に配置された活字台９と活字ケース３とを一体に形成しても良いことは勿論である。【００２６】
図７、図８は活字台に活字ブロックを嵌入した状態を示す図で、一列に並んだ活字台及び活字ブロックを横方向から見た断面図として示している。
図７は、図４に示した活字ユニット８の活字ブロック８２を活字台９に嵌め込んだ例を示しており、その際、活字ブロック８２間のスペーサ８３はひも８４が緩くされているので右上がりの斜めになっている。
日付を設定する場合は、活字ユニット８を指又はピンセットのような工具でつまんで引っぱり、年月日表示用の活字８１を備えたそれぞれの活字ブロック８２を、図３の溝４１内をすべらせ、スロープ９１を利用して、印字位置に固定された活字台９の凹部９２にそれぞれ嵌め込む。なお、活字ユニット８のどこかに突起状のつまみを設けて、指でそれをつまむようにしても良い。
このようにすると、活字台９にセットされた活字ブロック８２の活字８１は他の活字８１より高い位置になり、印字動作に入る準備が整うことになる。【００２７】
図８は、図５に示した活字ユニット８００の活字ブロック８０２を活字台９に嵌め込んだ例を示しており、その際、活字ブロック８０２間の連結部８０３は薄く又は柔軟な材料で形成されているので、左側は右上りに、右側は右下りになっている。
日付を設定する場合は図７と同じである。【００２８】
図９は活字装置の平面図で、図４の活字ユニットを使用した例を示している。
図３に示した活字ケース４の各溝４１に、内側から年、月、日のそれぞれの活字ユニット８を挿入したものである。
印字位置に一列に固定された活字台９に各活字ユニット８の活字ブロック８２をセットすることにより、例えば「’０５．１１．２１」の日付が設定される。日付の表記については活字ユニット８を変更することにより異なる言語の表示に対応することができる。【００２９】
月表示等の活字ユニット８は環状にされているので、それ相応の寸法精度が要求されるが、活字ケース４に溝無し領域４３を設けているので、冗長度が増し、寸法精度を緩くすることができる。
また、日表示のように活字の両端を終端させている場合は、活字ブロック８２を緩く連結していることと相俟って長さに関する寸法精度は全く要求されない。
なお、図５の活字ユニットを用いた場合も同様に活字装置を構成することができる。特に活字ユニット８００を環状に構成した場合には、連結部８０３のどれかに突起状のつまみを形成すると、エンドレスの活字ユニット８００の回転移動が容易になり、日付の設定を簡単に行うことができる。【００３０】
図１０はリボンフレームを示す図で、（ａ）は平面図、（ｂ）は断面図、図１１は印字リボンを示す図で、（ａ）は裏面の平面図、（ｂ）は断面図である。
リボンフレーム５１は印字リボン５を装着するフレームで、合成樹脂等でリング状に形成されている。
印字リボン５は、カーボン紙、インクリボン等で円形に形成され、印字面でない裏面の周辺部を選択的に接着部５２として、リボンフレーム５１に接着される。また、接着部５２の両側には切り込み５３が形成されている。
この切り込み５３は、印字時に活字が突出して印字リボン５を押し上げる際に、印字リボン５が伸長して生ずる緊張を緩和させるためのものである。従って、伸縮性のある印字リボンの場合には、切り込み５３を設けなくても良い。【００３１】
印字リボン５は円形に形成されているので、日付印字に使用された分だけ回転させることにより、常に新しい印字面の印字リボン５を使用することができる。
なお、印字リボン５の形状は厳密な意味の円形に限定されるものではなく、円形に近い多角形等であっても良い。
このように円形で平面的な印字リボン５を採用することにより小型で薄い印字装置を実現することができる。【００３２】
図１２はプロテクタフレームを示す図で、（ａ）は平面図、（ｂ）は正面図、（ｃ）は側面図であり、図１３はリボンプロテクタの平面図である。
プロテクタフレーム７は金属板例えばアルミニウム板等を加工して形成され、中央に大きく穴７３が明けられており、周囲のフレーム部分にリボンプロテクタ６を接着等により固着する。
リボンプロテクタ６は図１１に示した印字リボン５を保護するためのもので、薄い金属板例えばステンレススチール板等で形成され、印字位置となる窓６１が３０°の角度を持って明けられている。この窓６１の傾きについては図１で説明した通りである。【００３３】
リボンプロテクタ６を固着するプロテクタフレーム７は、図１に示した名刺入れの長手方向の上部側に回転して開けられるように、図１２の（ｃ）に示す両側板７４の左端に回転穴７５が明けられている。
この回転穴７５には図２に示したシャフト７１が挿通しており、シャフト７１はロアケース２に固定されているので、プロテクタフレーム７はこのシャフト７１を軸に回転可能に支持される。
従って、プロテクタフレーム７に固着されたリボンプロテクタ６はシャフト７１を中心に回転して開閉することができる。【００３４】
次に印字動作について説明する。
まず、図１に示すように、アッパケース１を開け、複数枚例えば１０枚程度の名刺３４を名刺収納部３に格納する。
次にプロテクタフレーム７に固着されているリボンプロテクタ６を、図２に示すシャフト７１を回転軸にして左方向に回転させて開ける。図１の状態では上方向に回転させて開ける。
次いで印字リボン５を取り外し、活字ケース４を露出させ、図９に示すように活字ケース４の溝４１内に配列されている活字ユニット８を指等でつまんで溝４１に沿って引っ張り、活字ブロック８２を活字台９に嵌め込んで活字ブロック８２上の活字８１を印字すべき日付、例えば「’０５．１１．２１」にセットする。
この状態で印字リボン５及びリボンプロテクタ６を元の位置に戻すと日付印字の準備が完了する。【００３５】
図１４は印字部の拡大断面図で、上記した日付印字の準備ができた状態を示している。
この状態では、活字ブロック８２が活字台９に嵌入しているので、活字８１は例えば１ｍｍ程度高く位置し、リボンプロテクタ６の窓から印字リボン５を押し上げて１ｍｍ程度突出している。
ここで指等で押さえゴム１２を矢印Ｃの方向に押圧すると、押さえブロック１３はアッパケース１の穴１１から下方向、即ち印字方向に突出し、格納された複数の名刺３４全体を印字方向に移動させる。
移動した一番下の名刺３４は印字リボン５に接触し、印字リボン５を介して活字８１に押し付けられ、図９のようにセットされた日付が名刺３４に印字される。【００３６】
指を放して押圧を止めれば、押さえブロック１３は押さえゴム１２の復元力により印字方向と反対方向に付勢されて元の位置に戻る。
日付が印字された名刺３４は、図２に示したようにロアケース２とプロテクタフレーム７との間に設けられたスプリング７２により上方に付勢されたリボンプロテクタ６によって支持されている。
次いでアッパケース１を図１のように開くと、日付が印字された名刺３４が一番上に現れるので、名刺収納部３から取り出し、直ちに名刺交換をすることができる。
２枚以上印字する場合は上記の印字動作を繰り返せば良い。
また、日付を変更する場合も、リボンプロテクタ６を開き、印字リボン５を取り外して、上記と同様に日付のセットをすれば良い。【００３７】
以上のように実施例１によれば、名刺入れに印字ハンマ手段と、活字装置を有する印字装置と、名刺収納部とを備えたので、印字ハンマ手段を押圧することにより名刺入れ内の名刺に日付を印字することができる。
そのため、予め活字を当日の日付にしておけば、名刺交換をする際に、その場で日付を印字し、日付つきの名刺を相手に手渡すことができる。
更に、電力や電子制御を全く必要としないので、軽くて低価格の印字機能付き名刺入れを実現することができる。
また、活字を同心円状に配列して薄型の活字装置を構成したので、薄型の印字機能付き名刺入れを実現することができる。
【実施例２】
【００３８】
図１５は本発明の印字機能付き名刺入れの実施例２を示す図で、アッパケースを外した状態を示しており、（ａ）は平面図、（ｂ）は正面図、（ｃ）は側板を外した側面図である。
実施例２は、印字動作をしてない時に、意に反して名刺が印字リボンに接触して汚れるのを防ぐために、主としてロアケース２００とプロテクタフレーム７００を工夫したもので、その他は実施例１と同等であるので変更した部分のみを説明する。【００３９】
ロアケース２００には、その両側でプロテクタフレーム７００のシャフト７０１の取付位置に角穴２０１が設けられ、手前側、図１５の（ａ），（ｃ）では右側の上端に２つの爪２０２が設けられている。なお、アッパケースの対応する部分には爪２０２を収容する溝が形成される。
ロアケース２００の底面にはプロテクタフレーム７００をロックする機構を構成するレバー２０３が回転自在に取り付けられている。レバー２０３にはプロテクタフレーム７００をロックする際のストッパ２０４が一体に形成されている。ロアケース２００の底板には、ストッパ２０４が移動するための穴２０５が明けられている。
更に、ロアケース２００には、プロテクタフレーム７００を手前方向、図１５の（ａ），（ｃ）では右方向に付勢するスプリング２０６と、スプリング２０６を固定する支持体２０７とを設けている。【００４０】
図１６はプロテクタフレームを示す図で、（ａ）は平面図、（ｂ）は正面図、（ｃ）は側面図である。
図１５と共にプロテクタフレーム７００について説明すると、プロテクタフレーム７００には、実施例１と同様に、回転して開閉可能にするためのシャフト７０１、スプリング７０２、穴７０３、側板７０４が設けられている。
回転穴７０５は実施例１とは異なり、小判型に形成され、ロアケース２０２に固定されたシャフト７０１に対して、前後方向、図１５の（ａ），（ｃ）では左右方向にプロテクタフレーム７００が移動可能に構成されている。回転穴７０５を設けた部分の出っ張りがロアケース２０２に設けた角穴２０１に入って逃げることになる。
また、図１５，１６の（ａ），（ｃ）の左端にはスプリング２０６の支持体７０６が形成され、右端の下方向にはロック用の突起７０７が形成され、上方向には移動用の突起７０８が設けられている。これらの支持体７０６、突起７０７、突起７０８はプロテクタフレーム７００の端部を加工して形成される。【００４１】
図１７はレバー開の状態を示す図、図１８はレバー閉の状態を示す図である。
レバー２０３は、図１５に示したように、ロアケース２００に回転可能に支持されているので、指で回転させて図１７のようにレバー開状態にすると、ロアケース２００のストッパ２０４は穴２０５内を移動し、ストッパ２０４はプロテクタフレーム７００の突起７０７とは離れ、プロテクタフレーム７００はスプリング７０３に支持された印字可能の状態になり、日付用の活字がセットされていれば、図１４に示したように指で矢印Ｃの方向に押圧することにより名刺３４に日付を印字することができる。【００４２】
印字をしないときは、図１５に示したように、レバー２０３を指で回転させて図１８のように閉状態にすると、スプリング７０３により印字方向と反対の方向に持ち上げられたプロテクタフレーム７００の上端はロアケース２００の爪２０２に押さえられ、突起７０７の先端が下がらないように穴２０５内を移動したストッパ２０４によりロックされる。
このようにすると、名刺３４はプロテクタフレーム７００に固着されたリボンプロテクタ６によって支持され、この位置より印字方向には下がらないようになる。即ち、プロテクタフレーム７００及びリボンプロテクタ６は図１４に示した位置より上方に持ち上げられた状態でロックされ、リボンプロテクタ６によって支持された名刺３４は印字リボン５とは離れた状態になり、印字方向である下方向への移動が規制される。
従って、印字をしない時に不用意にハンマ手段を押圧しても、名刺３４は印字方向には移動できないので、名刺３４が印字リボン５に接触して汚れることはない。【００４３】
日付を変更するために、リボンプロテクタ６を開ける場合には、図１のようにアッパケース１を開け、図１７及び図１８のいずれの場合でも、プロテクタフレーム７００の突起７０８を矢印Ｄの方向に押して突起７０７が爪２０２に引っかからないようにし、その後、突起７０８を上方に上げることによりプロテクタフレーム７００を回転させて開けることができる。【００４４】
以上のように実施例２によれば、実施例１の効果に加えて、リボンプロテクタを印字方向と反対の方向に持ち上げた状態でロックし、印字時にロックを外すようにした機構を備えたので、印字をしない時に名刺が印字リボンに接触して汚れるのを防止することができる。
【図１】
0004189885.tif 000002
【図２】
0004189885.tif 000003
【図３】
0004189885.tif 000004
【図４】
0004189885.tif 000005
【図５】
0004189885.tif 000006
【図６】
0004189885.tif 000007
【図７】
0004189885.tif 000008
【図８】
0004189885.tif 000009
【図９】
0004189885.tif 000010
【図１０】
0004189885.tif 000011
【図１１】
0004189885.tif 000012
【図１２】
0004189885.tif 000013
【図１３】
0004189885.tif 000014
【図１４】
0004189885.tif 000015
【図１５】
0004189885.tif 000016
【図１６】
0004189885.tif 000017
【図１７】
0004189885.tif 000018
【図１８】
0004189885.tif 000019